(57)【要約】  本発明は、表示する順番が定められた複数の画像データを蓄積する画像蓄積部を備える送信端末と、該送信端末とネットワークを介して接続し、データ送信端末より送られてきた画像データを複数蓄積するキャッシュデータ蓄積部および該キャッシュデータ蓄積部に蓄積された画像データによる画像を表示する表示デバイスを備える表示装置とから構成される画像表示システムにおける画像表示を迅速に行うもので、データ複数の画像データの表示順が、データ表示する順番に応じたものであることを示す順送りモード、これと逆の逆送りモードのいずれであるか、および、各モードに応じた制御ルールを蓄積する記憶部と、データキャッシュデータ蓄積部の蓄積内容、データ記憶部に蓄積されているモードおよび制御ルールを参照し、現在、データ表示デバイスにて表示が行われている特定画像の画像データよりも表示順が後となる画像データがデータキャッシュデータ蓄積部に蓄積されるように制御するデータ制御部と、を有する。
2010038275.tif 000002
【特許請求の範囲】
【請求項１】
表示する順番が定められた複数の画像データを蓄積する画像蓄積部を備える送信端末と、該送信端末とネットワークを介して接続し、前記送信端末より送られてきた画像データを複数蓄積するキャッシュデータ蓄積部および該キャッシュデータ蓄積部に蓄積された画像データによる画像を表示する表示デバイスを備える表示装置とから構成され、前記送信端末への特定画像を表示する旨の指示入力に応じて前記表示デバイスが前記特定画像を表示する画像表示システムであって、
前記複数の画像データの表示順が、前記表示する順番に応じたものであることを示す順送りモード、前記表示する順番に反するものであることを示す逆送りモードのいずれであるか、および、各モードに応じた制御ルールを蓄積する記憶部と、
前記キャッシュデータ蓄積部の蓄積内容、前記記憶部に蓄積されているモードおよび制御ルールを参照し、現在、前記表示デバイスにて表示が行われている特定画像の画像データよりも表示順が後となる画像データが前記キャッシュデータ蓄積部に蓄積されるように制御するデータ制御部と、を有することを特徴とする画像表示システム。
【請求項２】
請求項１記載の画像表示システムにおいて、
前記制御ルールは、前記キャッシュデータ蓄積部の蓄積内容を参照し、現在表示を行っている特定画像に対して現在の送りモードと逆となる画像データを削除し、特定画像の画像データよりも表示順が後となる画像データが前記キャッシュデータ蓄積部に蓄積させることを特徴とする画像表示システム。
【請求項３】
前記受信した画像データを複数蓄積するキャッシュデータ蓄積部および該キャッシュデータ蓄積部に蓄積された画像データによる画像を表示する表示デバイスを備える表示装置とネットワークを介して接続されて画像表示システムを構成し、前記表示装置へ送信する、表示する順番が定められた複数の画像データを蓄積する画像蓄積部を備え、特定画像を表示する旨の指示入力に応じて前記表示デバイスへ前記特定画像を表示させる送信端末であって、
前記複数の画像データの表示順が、前記表示する順番に応じたものであることを示す順送りモード、前記表示する順番に反するものであることを示す逆送りモードのいずれであるか、および、各モードに応じた制御ルールを蓄積する記憶部と、
前記キャッシュデータ蓄積部の蓄積内容、前記記憶部に蓄積されているモードおよび制御ルールを参照し、現在、前記表示デバイスにて表示が行われている特定画像の画像データよりも表示順が後となる画像データが前記キャッシュデータ蓄積部に蓄積されるように制御するデータ制御部と、を有することを特徴とする送信端末。
【請求項４】
表示する順番が定められた複数の画像データを蓄積する画像蓄積部を備える送信端末とネットワークを介して接続されて画像表示システムを構成し、前記送信端末より送られてきた画像データを複数蓄積するキャッシュデータ蓄積部および該キャッシュデータ蓄積部に蓄積された画像データによる画像を表示する表示デバイスを備える表示装置とから構成され、前記送信端末への特定画像を表示する旨の指示入力に応じて前記表示デバイスが前記特定画像を表示する表示装置であって、
前記複数の画像データの表示順が、前記表示する順番に応じたものであることを示す順送りモード、前記表示する順番に反するものであることを示す逆送りモードのいずれであるか、および、各モードに応じた制御ルールを蓄積する記憶部と、
前記キャッシュデータ蓄積部の蓄積内容、前記記憶部に蓄積されているモードおよび制御ルールを参照し、現在、前記表示デバイスにて表示が行われている特定画像の画像データよりも表示順が後となる画像データが前記キャッシュデータ蓄積部に蓄積されるように制御するデータ制御部と、を有することを特徴とする表示装置。
【請求項５】
表示する順番が定められた複数の画像データを蓄積する画像蓄積部を備える送信端末と、該送信端末とネットワークを介して接続し、前記送信端末より送られてきた画像データを複数蓄積するキャッシュデータ蓄積部および該キャッシュデータ蓄積部に蓄積された画像データによる画像を表示する表示デバイスを備える表示装置とから構成され、前記送信端末への特定画像を表示する旨の指示入力に応じて前記表示デバイスが前記特定画像を表示する画像表示システムで行われるデータ伝送方法であって、
記憶部に前記複数の画像データの表示順が、前記表示する順番に応じたものであることを示す順送りモード、前記表示する順番に反するものであることを示す逆送りモードのいずれであるか、および、各モードに応じた制御ルールを蓄積し、
データ制御部が、前記キャッシュデータ蓄積部の蓄積内容、前記記憶部に蓄積されているモードおよび制御ルールを参照し、現在、前記表示デバイスにて表示が行われている特定画像の画像データよりも表示順が後となる画像データが前記キャッシュデータ蓄積部に蓄積されるように制御することを特徴とするデータ伝送方法。
【発明の詳細な説明】
【技術分野】
【０００１】
本発明は、ネットワークを介して画像データを表示装置へ送信する送信端末と、受信した画像データによる表示を行う表示装置を備えた画像表示システムと、該システムで行われるデータ転送システムに関する。
【背景技術】
【０００２】
近年、携帯電話機等の携帯端末において機能の発展は著しく、パーソナルコンピュータで作成された文書や画像の画面表示も可能となってきている。また、携帯端末が備える通信機能も多岐に渡っており、無線LANやBluetooth等を介し、オフィスにある様々な情報処理装置との接続も容易になってきている。【０００３】
携帯端末がオフィスにある様々な情報処理装置と接続が容易になることにより、携帯端末からの指示によって情報処理装置に処理を行わせるというような場面が想定される。例えば、携帯端末からプリンタへ画像の印刷を指示することや、プロジェクタへ画像の投射を指示することが考えられる。【０００４】
携帯端末からプリンタへ画像の印刷を指示する際に、その印刷しようとしている画像を携帯端末で表示させる技術が例えば、特開２００６−１６３７９４号公報に開示されている。【０００５】
特開２００６−１６３７９４号公報に開示される技術は、パーソナルコンピュータで表示させることを前提としたサイズの大きい画像を携帯端末から携帯端末に接続されたプリンタへ送信し、プリンタが受信した画像を携帯端末で表示可能な大きさに縮小して携帯端末へ送信し、携帯端末で縮小された画像の表示をさせるというものである。【０００６】
携帯端末からプロジェクタへ画像の投射を指示する例としては、会議やプレゼンテーションに用いるシステムを挙げることができる。【０００７】
会議やプレゼンテーションでは、表示する順番が予め定められた複数の画像を順次表示することが行われる。システム利用者は表示する画像データを複数蓄積する送信端末に対して、表示する画像を指示する入力を行うと、該送信端末よりプロジェクタへ指示がなされた画像データの送信が行われ、該画像データによる表示がプロジェクタによって行われる。
【発明の開示】
【発明が解決しようとする課題】
【０００８】
ネットワークを介して画像データの伝送を行うシステムのうち、プリンタに画像データを伝送する場合には、特に時間的な制約は発生しない。プロジェクタに画像データを伝送する場合、特に、会議やプレゼンテーションにプロジェクタを使用する場合には、画像データの伝送を速やかに行う必要が生じる。【０００９】
Bluetoothなど比較的帯域が狭い無線ネットワークを介した伝送システムでは、画像データの伝送に時間がかかる。そのため操作者がページ送りの操作を実行した場合には、当該ページのデータの伝送が完了するまでの一定時間経過してからページが表示され、使い勝手が悪かった。【００１０】
このため、プロジェクタが、複数の画像データをまとめて蓄積するバッファリングなどの手法がとられる。従来行われているバッファリングでは、送信端末が蓄積する複数の画像データに表示する順番を示すＩＤを付与し、現在表示が行われている画像データよりも表示順番が後となる画像データをまとめて伝送するものである。【００１１】
しかしながら、会議やプレゼンテーションでは、説明内容に応じて、先に使用した画像に戻って説明を繰り返すことがよく行われ、このような場合には、指示された画像データをその都度送るために、データ伝送に時間がかかり、指定された画像を表示するまでに時間がかかってしまう。
【課題を解決するための手段】
【００１２】
本発明は、上述したような従来の技術が有する問題点に鑑みてなされたものであって、画像データのバッファリングを現在の画像の表示内容に応じたものとすることにより、画像表示を迅速に行うことのできる送信端末、表示装置、これらを備える画像表示伝送システム、該システムで行われるデータ転送方法、を実現する技術を提供するものである。【００１３】
本発明による画像表示システムは、表示する順番が定められた複数の画像データを蓄積する画像蓄積部を備える送信端末と、該送信端末とネットワークを介して接続し、前記送信端末より送られてきた画像データを複数蓄積するキャッシュデータ蓄積部および該キャッシュデータ蓄積部に蓄積された画像データによる画像を表示する表示デバイスを備える表示装置とから構成され、前記送信端末への特定画像を表示する旨の指示入力に応じて前記表示デバイスが前記特定画像を表示する画像表示システムであって、
前記複数の画像データの表示順が、前記表示する順番に応じたものであることを示す順送りモード、前記表示する順番に反するものであることを示す逆送りモードのいずれであるか、および、各モードに応じた制御ルールを蓄積する記憶部と、
前記キャッシュデータ蓄積部の蓄積内容、前記記憶部に蓄積されているモードおよび制御ルールを参照し、現在、前記表示デバイスにて表示が行われている特定画像の画像データよりも表示順が後となる画像データが前記キャッシュデータ蓄積部に蓄積されるように制御するデータ制御部と、を有することを特徴とする。【００１４】
本発明による送信端末は、前記受信した画像データを複数蓄積するキャッシュデータ蓄積部および該キャッシュデータ蓄積部に蓄積された画像データによる画像を表示する表示デバイスを備える表示装置とネットワークを介して接続されて画像表示システムを構成し、前記表示装置へ送信する、表示する順番が定められた複数の画像データを蓄積する画像蓄積部を備え、特定画像を表示する旨の指示入力に応じて前記表示デバイスへ前記特定画像を表示させる送信端末であって、
前記複数の画像データの表示順が、前記表示する順番に応じたものであることを示す順送りモード、前記表示する順番に反するものであることを示す逆送りモードのいずれであるか、および、各モードに応じた制御ルールを蓄積する記憶部と、
前記キャッシュデータ蓄積部の蓄積内容、前記記憶部に蓄積されているモードおよび制御ルールを参照し、現在、前記表示デバイスにて表示が行われている特定画像の画像データよりも表示順が後となる画像データが前記キャッシュデータ蓄積部に蓄積されるように制御するデータ制御部と、を有することを特徴とする。【００１５】
本発明による表示装置は、表示する順番が定められた複数の画像データを蓄積する画像蓄積部を備える送信端末とネットワークを介して接続されて画像表示システムを構成し、前記送信端末より送られてきた画像データを複数蓄積するキャッシュデータ蓄積部および該キャッシュデータ蓄積部に蓄積された画像データによる画像を表示する表示デバイスを備える表示装置とから構成され、前記送信端末への特定画像を表示する旨の指示入力に応じて前記表示デバイスが前記特定画像を表示する表示装置であって、
前記複数の画像データの表示順が、前記表示する順番に応じたものであることを示す順送りモード、前記表示する順番に反するものであることを示す逆送りモードのいずれであるか、および、各モードに応じた制御ルールを蓄積する記憶部と、
前記キャッシュデータ蓄積部の蓄積内容、前記記憶部に蓄積されているモードおよび制御ルールを参照し、現在、前記表示デバイスにて表示が行われている特定画像の画像データよりも表示順が後となる画像データが前記キャッシュデータ蓄積部に蓄積されるように制御するデータ制御部と、を有することを特徴とする。【００１６】
本発明によるデータ伝送方法は、表示する順番が定められた複数の画像データを蓄積する画像蓄積部を備える送信端末と、該送信端末とネットワークを介して接続し、前記送信端末より送られてきた画像データを複数蓄積するキャッシュデータ蓄積部および該キャッシュデータ蓄積部に蓄積された画像データによる画像を表示する表示デバイスを備える表示装置とから構成され、前記送信端末への特定画像を表示する旨の指示入力に応じて前記表示デバイスが前記特定画像を表示する画像表示システムで行われるデータ伝送方法であって、
記憶部に前記複数の画像データの表示順が、前記表示する順番に応じたものであることを示す順送りモード、前記表示する順番に反するものであることを示す逆送りモードのいずれであるか、および、各モードに応じた制御ルールを蓄積し、
データ制御部が、前記キャッシュデータ蓄積部の蓄積内容、前記記憶部に蓄積されているモードおよび制御ルールを参照し、現在、前記表示デバイスにて表示が行われている特定画像の画像データよりも表示順が後となる画像データが前記キャッシュデータ蓄積部に蓄積されるように制御することを特徴とする。
【図面の簡単な説明】
【００１７】
【図１】本発明による第１の実施形態の要部構成を示すブロック図である。
【図２】図１中の表示部１０５における表示例を示す図であり、（ａ）は画像データ一覧画面、（ｂ）はサムネイルを示す。
【図３】図１中の画像データ管理テーブル１１２の一構成例を示す図である。
【図４】図１中のデータ制御部１０３が状態モードをセットする際の動作を示すフローチャートである。
【図５】図１中の、データ制御部１０３によるデータを制御する動作を示すフローチャートである。
【図６】図５中に示される画像データ送信処理の動作を示すフローチャートである。
【図７】（ａ），（ｂ）のそれぞれは、キャッシュ管理テーブル１１３の格納内容を示す図である。
【図８】キャッシュデータ蓄積部２１１の格納内容を示す図である。
【図９】図５におけるステップＳ５０４で行われる順送り方向の先送り処理の動作を示すフローチャートである。
【図１０】本発明による第１の実施形態の要部構成を示すブロック図である。
【符号の説明】
【００１８】
１，３１    送信端末
２，４２    表示装置
３，５３    ネットワーク
１０１，３０１    ＵＩ部
１０２，３０２    ＵＩ監視部
１０３，３０３    データ制御部
１０４，３０４    データ送信部
１０５，３０５    表示部
１０６，３０６    ネットワーク接続部
１０７，３０７    記憶部
１１１，３１１    画像データ蓄積部
１１２，３１２    画像データ管理テーブル
１１３，４１１    キャッシュ管理テーブル
２０１，４０１    データ出力部
２０２，４０２    データ管理部
２０３，４０３    データ受信部
２０４，４０５    表示デバイス
２１１，４１２    キャッシュデータ蓄積部
【発明を実施するための最良の形態】
【００１９】
次に、本発明の実施形態について図面を参照して説明する。図１は、本発明による第１の実施形態の要部構成を示すブロック図である。【００２０】
本実施形態は、ネットワーク３、ネットワーク３を介してデータの送受が可能な送信端末１および表示装置２から構成されている。送信端末１は、ＵＩ（ユーザインタフェース）部１０１、ＵＩ監視部１０２、データ制御部１０３、データ送信部１０４、表示部１０５、ネットワーク接続部１０６、記憶部１０７、画像データ蓄積部１１１、画像データ管理テーブル１１２およびキャッシュ管理テーブル１１３を備える。【００２１】
表示装置２は、データ出力部２０１、データ管理部２０２、データ受信部２０３、表示デバイス２０４およびキャッシュデータ蓄積部２１１を備える。【００２２】
画像データ蓄積部１１１は複数の画像データを蓄積し、画像データ管理テーブル１１２は、画像データ蓄積部１１１に蓄積されている複数の画像の表示する順番を管理している。【００２３】
表示装置２のキャッシュデータ蓄積部２１１は、送信端末１より伝送された画像データを複数蓄積するもので、その蓄積内容は送信端末１のキャッシュ管理テーブル１１３にて管理されている。【００２４】
ＵＩ部１０１は、利用者の操作による、操作画面への制御入力やキー入力を受付ける。【００２５】
ＵＩ監視部１０２は、ＵＩ部１０１を介して利用者の操作による入力内容を監視し、入力内容を示す信号をデータ制御部１０３へ出力する。【００２６】
データ制御部１０３は、ＵＩ監視部１０２出力に示されるＵＩ部１０１への入力内容、および記憶部１０７に蓄積されている状態モードおよび制御ルールに応じて、画像データ蓄積部に蓄積されている画像データの伝送、キャッシュデータ蓄積部２１１の蓄積内容の制御を行う。画像データ送信要求を受付けると、画像データ送信要求により指定された画像データを送信すると共に、画像データの先送り機能を実現する。また、入力内容に応じて記憶部１０７に蓄積される状態モードを更新する。【００２７】
データ送信部１０４は、データ制御部１０３からの指示により、各種コマンドデータを、ネットワーク３を介して表示装置２に送信する。【００２８】
表示部１０５は表示を行い、ネットワーク接続部１０６はネットワーク３への接続動作を行い、記憶部１０７は状態モードおよび制御ルールを記憶する。【００２９】
データ受信部２０３は、送信端末１のデータ送信部１０４からネットワークを介して送信されたコマンドデータを受け取る。【００３０】
データ管理部２０２は、データ受信部２０３から渡された各種コマンドの処理を行い、データ出力部２０１は、データ管理部２０２の要求でデータを表示デバイスに表示する。【００３１】
以下に、本実施形態の動作について詳細に説明する。なお、表示装置２としては、プロジェクタのような、会議室などでプレゼンテーションに使用される画像を表示する装置を想定している。【００３２】
プレゼンテーションで一般的に行われる操作例として、操作者が複数ページからなる説明資料を１ページ目から順に説明する場面について説明している。【００３３】
説明資料は、具体的には説明資料を示す画像データを用いて表示されるが、ここでは説明を簡単にするため、画像データ１つが表示装置２上の一画面（ページ）を構成するものとする。また、１ページずつ資料を進める方向のページ制御操作を”順送り”、１ページ戻る操作を”逆送り”と表現する。その他のページ制御としては、指定ページへのジャンプなどがある。【００３４】
以下の説明で用いる各コマンドは次のような情報を含んで構成される。【００３５】
画像表示コマンド：コマンドＩＤ、キャッシュ番号
キャッシュ登録コマンド：コマンドＩＤ、登録先キャッシュ番号、画像データ
キャッシュ削除コマンド：コマンドＩＤ、削除先キャッシュ番号
本実施形態では、以下の操作で画像伝送機能を実現する。【００３６】
データ制御部１０３は、操作者に送信するデータを選択させるために、表示部１０５に図２（ａ）に示すような画像データ一覧画面を表示させる。図２（ａ）に示す例では、Ｄａｔａ＿１〜Ｄａｔａ＿５の５つのフォルダが提示されている。操作者が、いずれかのフォルダを選択するために、サムネイルを表示させるための入力を入力手段に対して行うと、図２（ｂ）に示すようなサムネイルを表示させる。【００３７】
図２（ｂ）に示すサムネイルは、画像データ蓄積部１１１に蓄積されている画像データに基いて表示されるもので、５つのフォルダのうちのいずれか１つが拡大して表示されるフォーカス状態とされている。操作者が入力手段に備えられたカーソル移動キーなどを用いてサムネイル上のフォーカスを移動させながら、送信したい画像データを選択する旨の送信入力を行うと、現在フォーカスされているサムネイルの画像データが表示装置２に送信され、フォーカスは次の画像データによるサムネイルへ移動する。以降、送信入力が行われるごとにフォーカスされているサムネイルの画像データの送信が行われ、ページは順送りされることになる。【００３８】
以下、詳細を説明する。【００３９】
データ制御部１０３は、画像データ蓄積部１１１および画像データ蓄積部１１１の管理用テーブルである画像データ管理テーブル１１２を参照し、図２（ａ）に示した画像データ一覧画面や、図２（ｂ）に示したサムネイル画面などを表示、制御し、操作者に送信を行う画像データを選択させる。【００４０】
操作者が画像データを選択し、送信入力を行うと、ＵＩ部１０１はデータ制御部１０３に選択された画像データの送信を要求する。【００４１】
図３は画像データ管理テーブル１１２の一構成例である。表示順、各画像にユニークに割り当てられる画像ＩＤ、および画像データの所在を管理する。【００４２】
ＵＩ監視部１０２はＵＩ部１０１が操作者とやりとりする操作を監視し、次の３つの状態モードを記憶部１０７にセットする。【００４３】
順送り：操作者が順送り方向のページ送りを連続して実施している状態
逆送り：操作者が逆送り方向のページ送りを連続して実施している状態
ペンディング：上記以外
図４はデータ制御部１０３が状態モードをセットする際の動作を示すフローチャートである。ここでは、前回のページ制御操作から３秒以上経過した後のページ制御操作をトリガーとして状態モードの更新を行っている。【００４４】
データ制御部１０３は、初期状態として、送信端末１に設けられたタイマー（不図示）をリセットし、状態モードを「順送り」として記憶部１０７にセットする（ステップＳ４０１）。次に、ＵＩ監視部１０２からの出力により、ＵＩ部１０１に対してページの送り動作を制御する動作が行われたかを確認し（ステップＳ４０２）、動作が行われていなければタイマーをリセットして（ステップＳ４１２）、再度、ＵＩ部１０１に対してページの送り動作を制御する動作が行われたかを確認する。【００４５】
ステップＳ４０２において、ＵＩ部１０１に対してページの送り動作を制御する動作が行われたことが確認された場合には、タイマーを読み出して（ステップＳ４０３）、３秒以上経過したかの確認を行う（ステップＳ４０４）。このとき、３秒以上経過していなければタイマーをリセットして（ステップＳ４１２）、再度、ＵＩ部１０１に対してページの送り動作を制御する動作が行われたかを確認する。【００４６】
ステップＳ４０４において、３秒以上経過していることが確認された場合には、行われたページの送り動作の制御が「順送り」であるかを確認する（ステップＳ４０５）。【００４７】
ステップＳ４０５において、行われたページの送り動作の制御が「順送り」であることが確認された場合には、記憶部１０５にセットされているモードが「順送り」もしくは「ペンディング」であるかを確認する（ステップＳ４０６）。【００４８】
ステップＳ４０６において、記憶部１０５にセットされているモードが「順送り」もしくは「ペンディング」であることが確認された場合には、状態モードを「順送り」とし（ステップＳ４０７）、タイマーをリセットして（ステップＳ４１２）、再度、ＵＩ部１０１に対してページの送り動作を制御する動作が行われたかを確認する。【００４９】
ステップＳ４０５において、行われたページの送り動作の制御が「順送り」ではないことが確認された場合には、行われたページの送り動作の制御が「逆送り」であるかの確認（ステップＳ４０８）、記憶部１０５にセットされているモードが「逆送り」もしくは「ペンディング」であるかを確認する（ステップＳ４０９）。【００５０】
ステップＳ４０６において、記憶部１０５にセットされているモードが「順送り」もしくは「ペンディング」ではないことが確認された場合、ステップＳ４０８において行われたページの送り動作の制御が「逆送り」でないことが確認された場合、ステップＳ４０９において記憶部１０５にセットされているモードが「逆送り」もしくは「ペンディング」ではないことが確認された場合には、状態モードを「ペンディング」とし（ステップＳ４１０）、タイマーをリセットして（ステップＳ４１２）、再度、ＵＩ部１０１に対してページの送り動作を制御する動作が行われたかを確認する。【００５１】
ステップＳ４０８において行われたページの送り動作の制御が「逆送り」であることが確認され、ステップＳ４０９において記憶部１０５にセットされているモードが「逆送り」もしくは「ペンディング」であることが確認された場合には、状態モードを「逆送り」とし（ステップＳ４１１）、タイマーをリセットして（ステップＳ４１２）、再度、ＵＩ部１０１に対してページの送り動作を制御する動作が行われたかを確認する。【００５２】
図５は、データ制御部１０３による制御動作を示すフローチャート、図６は、図５中に示される画像データ送信処理の動作を示すフローチャートである。【００５３】
データ制御部１０３は、ＵＩ監視部１０２からの出力により、ＵＩ部１０１に対して画像データ送信要求が行われたかを確認する（ステップＳ５０１）。画像データ送信要求が行われた場合には、図６に示される画像データ送信処理を行い、再度、画像データ送信要求が行われたかを確認する。【００５４】
ステップＳ５０１において、画像データ送信要求が行われていないことが確認された場合には、記憶部１０５にセットされているモードを読み出し（ステップＳ５０２）、
「順送り」であるかの確認（ステップＳ５０３）、「逆送り」であるかの確認（ステップＳ５０６）を行う。【００５５】
ステップＳ５０３において、モードが「順送り」であることが確認された場合には、順送り方向にページを先送りする処理を行い（ステップＳ５０４）、ステップＳ５０１に戻って画像データ送信要求が行われたかを確認する。【００５６】
ステップＳ５０６において、モードが「逆送り」であることが確認された場合には、逆送り方向にページを先送りする処理を行い（ステップＳ５０７）、ステップＳ５０１に戻って画像データ送信要求が行われたかを確認する。【００５７】
ステップＳ５０４、Ｓ５０７で行われるページの先送り処理については後述することとし、図６を参照してステップＳ５０５で行われる画像データ送信処理について説明する。【００５８】
データ制御部１０３は、画像データ送信要求を受信すると（ステップＳ６０１）、キャッシュ管理テーブル１１３を参照し（ステップＳ６０２）、画像データ送信要求により指定された画像データが表示装置２のキャッシュデータ蓄積部２１１上に存在するか否かを確認する（ステップＳ６０３）。【００５９】
図７（ａ），（ｂ）のそれぞれは、キャッシュ管理テーブル１１３の格納内容を示す図である。ここでは、キャッシュは５ページ分の画像を蓄積できる容量のものであることがわかる。操作対象のキャッシュデータを特定するためのキャッシュ番号と画像を識別する画像ＩＤ、現在表示中の画像を特定する表示中フラグで構成される。【００６０】
図７（ａ）に示す例では、キャッシュ番号が１であり、画像ＩＤがｉｍｇ００１の画像が表示されている状態を示し、図７（ｂ）に示す例では、キャッシュ番号が２であり、画像ＩＤがｉｍｇ００２の画像が表示されている状態を示している。【００６１】
ステップＳ６０３において、送信要求された画像データがキャッシュに存在しないことが確認された場合には、キャッシュ制御を行う（ステップＳ６０５）。ここで行われるキャッシュ制御については後述する。【００６２】
ステップＳ６０３において、送信要求された画像データがキャッシュに存在することが確認された場合、ステップＳ６０５の後には、画像表示コマンドを送信する旨の要求をデータ送信部１０４に対して行い、データ送信部１０４は、データ制御部１０３から要求を受け、画像表示コマンドを表示装置２に送信する（ステップＳ６０４）。【００６３】
表示装置２のデータ受信部２０３は、画像表示データコマンドを受信すると、データ管理部２０２に受け渡す。画像表示データコマンドを受け取ったデータ管理部２０２は、画像表示コマンドに示される画像データをキャッシュデータ蓄積部２１１から読み出し、データ出力部２０１に表示を指示する。データ出力部２０１は表示デバイス（不図示）に表示する。【００６４】
次に、ステップＳ６０５にて行われるキャッシュ管理制御について詳細を説明する。【００６５】
ステップＳ６０３において、送信要求された画像データがキャッシュデータ蓄積部２１１に存在しないことが確認された場合には、データ制御部１０３は、キャッシュデータ蓄積部２１１に空きがあるかを確認する。空き容量がある場合には、画像データ管理テーブル１１２を参照し、キャッシュ登録コマンドを作成し、データ送信部１０４を介して表示装置２に送信すると共に、キャッシュ管理テーブル１１３を更新する。【００６６】
キャッシュデータ蓄積部２１１に空きがない場合には、キャッシュ削除コマンドを送信し、キャッシュ領域を空けた後、同様にキャッシュ登録コマンドを、データ送信部１０４を介して表示装置２に送信すると共に、キャッシュ管理テーブル１１３を更新する。このとき、どのキャッシュデータを削除するかは、後述する先送り時の制御ルールに従う。【００６７】
表示装置２のデータ受信部２０３は、キャッシュ登録コマンドを受け取ると、データ管理部２０２に受け渡す。データ管理部２０２は、受け取ったキャッシュ登録コマンドに示されるキャッシュ番号と画像データをキャッシュデータ蓄積部２１１に登録する。【００６８】
図８は、キャッシュデータ蓄積部２１１の格納内容を示す図である。図示されるように、キャッシュ番号に対応して画像データが格納されている。【００６９】
図９は、図５におけるステップＳ５０４で行われる順送り方向の先送り処理の動作を示すフローチャートであり、以下に、図９を参照してその動作について説明する。なお、先送り処理には以下の制御ルールが適用されているものとする。【００７０】
＜制御ルール＞
・現在の状態モードの方向にできる限り先送りする。【００７１】
・キャッシュデータ蓄積部２１１に空きがなくなった場合には、現在表示中の画像から状態モードと逆方向の画像を削除する。【００７２】
順送り方向先送り処理が起動されると、データ制御部１０３は、画像データ管理テーブル１１２を参照して、次の先送り候補を選定し（ステップＳ８０１）、続けてキャッシュ管理テーブル１１３を参照する。（ステップＳ８０２）。【００７３】
次に、キャッシュデータ蓄積部２１１に空きがあるかを確認し（ステップＳ８０３）、空きがある場合には、キャッシュ登録コマンドを作成し（Ｓ８０４）、キャッシュ登録コマンドを、データ送信部１０４を介して表示装置２に送信すると共に、キャッシュ管理テーブル１１３を更新して（ステップＳ８０５）、終了する。【００７４】
ステップＳ８０３において、キャッシュデータ蓄積部２１１に空きがないことが確認された場合には、制御ルールに従って削除すべきキャッシュデータがあるかを確認する（ステップＳ８０６）。【００７５】
ステップＳ８０６において、削除できるデータがないことが確認された場合には、処理を終了する。【００７６】
ステップＳ８０６において、削除できるデータがあることが確認された場合には、キャッシュ削除コマンドを作成し（ステップＳ８０７）、送信部を介して表示装置２に送信すると共に、キャッシュ管理テーブル１１３を更新して（ステップＳ８０８）、ステップＳ８０４へ移行する。【００７７】
表示装置２のデータ受信部２０３は、キャッシュ削除コマンドを受け取ると、データ管理部２０２に受け渡す。データ管理部２０２は、受け渡されたキャッシュ削除コマンドに示されるキャッシュ番号のデータを破棄し、キャッシュデータ蓄積部２１１を更新する。【００７８】
表示装置２のデータ受信部２０３は、キャッシュ登録コマンドを受け取ると、データ管理部２０２に受け渡す。データ管理部２０２は、受け渡されたキャッシュ登録コマンドで示されたキャッシュ番号と画像データをキャッシュデータ蓄積部２１１に登録する。【００７９】
上記の動作について、図７に示した例を用いて説明する。【００８０】
図７（ａ）は、状態モード＝順送りの状態で、画像ＩＤがｉｍｇ００１の画像が表示されており、先送りが実行されて５枚分がキャッシュされた状態のキャッシュ管理テーブル１１３である。【００８１】
上記の状態で、操作者がページの順送り操作を行い、ｉｍｇ００２を表示したのち、３秒以上経過し、次の先送りが実行される場合を考える。データ制御部１０３は次のような動作を行う。【００８２】
データ制御部１０３は画像データ管理テーブル１１２を参照し、順送り方向に次に先送りする画像データ候補を決定する。ここでは表示順＝６の画像ＩＤｉｍｇ００６が候補となる。キャッシュに空きがない状態であることから、管理ルールに従い、現在表示中の画像ｉｍｇ００２に対し、状態モードが逆方向の画像ｉｍｇ００１をキャッシュから削除するため、キャッシュ削除コマンドを作成し、データ送信部１０４を介して表示装置２に送信すると共に、キャッシュ管理テーブル１１３を更新する。【００８３】
続いて、ｉｍｇ０６のキャッシュ登録コマンドを作成し、データ送信部を介して表示装置に送信すると共に、キャッシュ管理テーブル１１３を更新する。この状態のキャッシュ管理テーブル１１３を図７（ｂ）に示すものとなる。【００８４】
なお、ここで示した＜制御ルール＞は一例に過ぎない。例えば現在表示中の画像の前後１枚は最低キャッシュに残すといった別ルールも考えられる。【００８５】
さらに、制御ルールを複数用意し、制御ルールの内容を、ＵＩ部１０１を介してユーザに提示し、ユーザの操作スタイルにあった制御ルールを選択させることも可能であり、このような構成としてもよい。【００８６】
また、操作者による画像データ送信要求により指定された画像データを測定して操作者が指定する画像データの特徴を抽出し、適用するルールを変更することや、ルール自体の内容を更新する構成をＵＩ制御部１０２、データ制御部１０３などに実装することも考えられる。【００８７】
次に、本発明の第２の実施形態について、の要部構成を示すブロック図である図１０を参照して説明する。【００８８】
第１の実施形態が、送信端末側にキャッシュデータの管理や、データ先送り管理の機能を実装していたのに対し、本実施形態は、表示装置側にそれらの機能を実装するものである。【００８９】
本実施形態は、ネットワーク５３、ネットワーク５３を介してデータの送受が可能な送信端末３１および表示装置４２から構成されている。【００９０】
本実施形態において、送信端末３１を構成する、ＵＩ部３０１、ＵＩ監視部３０２、データ制御部３０３、データ送信部３０４、表示部３０５、ネットワーク接続部３０６、記憶部３０７、画像データ蓄積部３１１、画像データ管理テーブル３１２、表示装置４２を構成する、データ出力部４０１、データ管理部４０２、データ受信部４０３、表示デバイス４０５およびキャッシュデータ蓄積部４１２のそれぞれは、図１に示した、送信端末１を構成する、ＵＩ部１０１、ＵＩ監視部１０２、データ制御部１０３、データ送信部１０４、表示部１０５、ネットワーク接続部１０６、記憶部１０７、画像データ蓄積部１１１、画像データ管理テーブル１１２、表示装置２を構成する、データ出力部２０１、データ管理部２０２、データ受信部２０３、表示デバイス２０４およびキャッシュデータ蓄積部２１１と同様の動作を行うものである。【００９１】
本実施形態においては、第１の実施形態において、送信端末側に設けられていたキャッシュ管理テーブルを表示装置４２に設けられたキャッシュ管理テーブル４１１としたものである。【００９２】
データ制御部３０３は、ネットワーク５３を介してキャッシュ管理テーブル４１１を参照してキャッシュデータ蓄積部４１２の格納内容を確認する。このほかの制御動作は第１の実施形態と同様である。【００９３】
また、状態モードは、初期状態には順送りモードとされ、その後のＵＩ部への入力内容に応じてデータ制御部が決定するものとしたが、ＵＩ部への入力により、利用者が直接設定するものとしてもよい。【００９４】
以上のような構成とすることにより第１の実施形態と同様の機能を実現可能になる。このように、本発明におけるキャッシュ管理テーブル、さらには、データ制御部や記憶部のいずれも、画像表示システムを構成する送信端末、表示装置のいずれに設けられても良い。【００９５】
上述した本発明の実施形態によれば、キャッシュデータとして蓄積されるデータを、この後に表示が行われるものとすることができるので、比較的狭帯域なネットワーク環境においても迅速に画像を表示することができる。
【図１】
2010038275.tif 000003
【図２】
2010038275.tif 000004
【図３】
2010038275.tif 000005
【図４】
2010038275.tif 000006
【図５】
2010038275.tif 000007
【図６】
2010038275.tif 000008
【図７】
2010038275.tif 000009
【図８】
2010038275.tif 000010
【図９】
2010038275.tif 000011
【図１０】
2010038275.tif 000012
【国際調査報告】
2010038275.tif 000013
2010038275.tif 000014